(57)【要約】【課題】  架設された電力ケーブルの切断作業や分断した一次側及び二次側の電力ケーブルの連結作業を行うときに、作業対象となる電力ケーブルの支持と、電力ケーブルに対する切断作業又は連結作業とを一人の作業者で行うことのできる電力ケーブル支持用具を提供する。【解決手段】  架設された電力ケーブルを切断する切断作業、及び分断した一次側及び二次側の電力ケーブルを連結する連結作業の少なくとも何れか一方を行う際に、その作業の対象となる電力ケーブルを支持する電力ケーブル支持用具であって、電力ケーブルに対して着脱可能に構成された一対の取付手段と、該一対の取付手段を連結する連結手段とを備え、該連結手段は、電気絶縁性を有するとともに、少なくとも一部に伸縮性を有して構成されていることを特徴とする。【選択図】図１
2008253053.tif 000002
【特許請求の範囲】
【請求項１】
架設された電力ケーブルを切断する切断作業、及び分断した一次側及び二次側の電力ケーブルを連結する連結作業の少なくとも何れか一方を行う際に、その作業の対象となる電力ケーブルを支持する電力ケーブル支持用具であって、電力ケーブルに対して着脱可能に構成された一対の取付手段と、該一対の取付手段を連結する連結手段とを備え、該連結手段は、少なくとも一部に電気絶縁性を有するとともに、少なくとも一部に伸縮性を有して構成されていることを特徴とする電力ケーブル支持用具。
【請求項２】
前記連結手段は、電気絶縁性を有する絶縁体と、伸縮自在に構成された伸縮体とを連結した連結体を備えるとともに、該連結体の絶縁体と伸縮体との連結方向の両端部に各取付手段に接続される接続体を備えている請求項１記載の電力ケーブル支持用具。
【請求項３】
前記連結体は、前記絶縁体が碍子で構成されるとともに前記伸縮体がゴム材で構成されている請求項２記載の電力ケーブル支持用具。
【請求項４】
各取付手段は、連結手段が接続される被接続部を備えるとともに、前記連結手段は、両端部に前記被接続部に接続する接続体を備え、少なくとも何れか一方の接続体がフック部を備えるとともに、該接続体が接続される取付手段の前記被接続部が前記フック部を掛止可能に構成されている請求項１乃至３の何れか１項に記載の電力ケーブル支持用具。
【請求項５】
各取付手段は、電力ケーブルをその軸線に対して直交方向から嵌め込み可能に構成された取付手段本体と、該取付手段本体に嵌め込まれた電力ケーブルの軸線と交差方向に延びる軸線周りで回転可能に設けられたレバーと、前記取付手段本体内に設けられるとともに前記レバーに連動して前記軸線周りで回転可能な押圧体とを備え、該レバーが前記連結手段に直接的又は間接的に連結され、該連結手段の張力の作用で回転したときに、押圧体が電力ケーブルを取付手段本体の内面に押し付けるように構成されている請求項１乃至４の何れか１項に記載の電力ケーブル支持用具。
【請求項６】
各取付手段は、互いに接離可能に構成されて電力ケーブルの挟持とその解除とが可能に構成された一対の挟持体を備えたクリップである請求項１乃至４の何れか１項に記載の電
力ケーブル支持用具。
【請求項７】
架設された電力ケーブルを切断する切断作業、及び分断した一次側及び二次側の電力ケーブルを連結する連結作業の少なくとも何れか一方を行うときに、作業対象の電力ケーブルを支持する電力ケーブル支持方法であって、少なくとも一部に電気絶縁性を有するとともに少なくとも一部に伸縮性を有する連結手段によって連結される一対の取付手段のそれぞれを電力ケーブルの切断位置又は連結位置を介在させるように作業対象となる電力ケーブルに対して取り付け、取付手段間で連結手段に張力を作用させることを特徴とする電力ケーブル支持方法。
【請求項８】
連結手段の一端に固着された一方の取付手段を電力ケーブルに取り付けるとともに、フックを掛止可能な被接続部の形成された他方の取付手段を電力ケーブルに取り付け、連結手段の他端部に設けられフックを前記被接続部に掛止させる請求項７記載の電力ケーブル支持方法。
【発明の詳細な説明】
【技術分野】
【０００１】
本発明は、架設された電力ケーブルを切断する切断作業、及び分断した一次側及び二次側の電力ケーブルを連結する連結作業の少なくとも何れか一方を行う際に、その作業の対象となる電力ケーブルを支持するための電力ケーブル支持用具、及び、電力ケーブル支持方法に関する。
【背景技術】
【０００２】
従来から、架設された電力ケーブルを切断する際、切断によって分断した一次側及び二次側の電力ケーブルが垂れ下がってしまい、周囲との接触で地絡事故が発生するのを防止するために、図７に示す如く、切断対象となる電力ケーブルＣの切断位置Ｃｐの両側を絶縁ヤットコＹ，Ｙで支持した上で電力ケーブルＣを切断し、分断した電力ケーブルＣの端部を絶縁テープ等で被覆して絶縁対策を行った後に停電作業が行われる。また、切断した電力ケーブルＣを連結する場合（停電作業から復帰する場合）にも、分断した一次側及び二次側の電力ケーブルＣを絶縁ヤットコＹ，Ｙで支持した上で、電力ケーブルＣ同士を連結するようにしている。
【発明の開示】
【発明が解決しようとする課題】
【０００３】
しかしながら、上記作業は、二つの絶縁ヤットコＹ，Ｙで電力ケーブルＣを支持した上で電力ケーブルＣに対する切断作業又は連結作業をしなければならないため、一人でこれらの作業を行うことができなかった。すなわち、電力ケーブルＣの切断作業や、分断した一次側及び二次側の電力ケーブルＣの連結作業は、電力ケーブルＣを支持するための二つの絶縁ヤットコＹ，Ｙと電力ケーブルＣを切断又は連結するための工具（切断具や圧着工具等の先端工具の取り付けられた間接活線操作棒）とを用いるため、二人の作業者が二つの絶縁ヤットコＹ，Ｙを操って電力ケーブルＣを支持しつつ何れか一方の作業者が絶縁ヤットコＹ，Ｙの間で電力ケーブルＣを切断又は連結しなければならず、一人で一連の作業を行うことができなかった。
【０００４】
特に、上下方向に架設された電力ケーブル（いわゆる、引き下げ線）Ｃを切断又は連結する場合、その電力ケーブルＣの姿勢（配置）に対応するように、二人の作業者が互いに接近し或いは前後で重なり合うような姿勢で二つの絶縁ヤットコＹ，Ｙで電力ケーブルＣの上下二カ所を支持しなければならず、作業効率の低下が顕著になる。
【０００５】
そこで、本発明は、斯かる実情に鑑み、架設された電力ケーブルの切断作業や分断した一次側及び二次側の電力ケーブルの連結作業を行うときに、作業対象となる電力ケーブルの支持と、電力ケーブルに対する切断作業又は連結作業とを一人の作業者で行うことのできる電力ケーブル支持用具、及びケーブル切断方法を提供することを課題とする。
【課題を解決するための手段】
【０００６】
本発明に係る電力ケーブル支持用具は、架設された電力ケーブルを切断する切断作業、及び分断した一次側及び二次側の電力ケーブルを連結する連結作業の少なくとも何れか一方を行う際に、その作業の対象となる電力ケーブルを支持する電力ケーブル支持用具であって、電力ケーブルに対して着脱可能に構成された一対の取付手段と、該一対の取付手段を連結する連結手段とを備え、該連結手段は、少なくとも一部に電気絶縁性を有するとともに、少なくとも一部に伸縮性を有して構成されていることを特徴とする。
【０００７】
上記構成の電力ケーブル支持用具によれば、電力ケーブルに対して着脱可能に構成された一対の取付手段と、該一対の取付手段を連結する連結手段とを備え、該連結手段は、少なくとも一部に電気絶縁性を有するとともに、少なくとも一部に伸縮性を有して構成されているため、一対の取付手段を連結手段の全長よりも広い間隔をあけて電力ケーブルに取り付けると、一対の取付手段の間で連結手段に張力（収縮力）が作用する。
【０００８】
これにより、電力ケーブルは各取付手段の取り付けられた部分同士が引き寄せられることになる。従って、電力ケーブルを切断する場合には、一対の取付手段間の電力ケーブルが撓むことになり、一対の取付手段間で電力ケーブルを切断すると、その切断位置の両側（取付手段の取り付けられた部分）が連結手段を介して連結され、且つその連結手段の収縮力（張力）で互いに引き寄せられることになる。これにより、電力ケーブルを切断しても両側の電力ケーブルが連続して架設されたのと同様の態様で維持することになる。そして、このように電力ケーブルが切断され、連結手段を介して電力ケーブル同士が連結された状態で維持したとしても、前記連結手段が少なくとも一部に電気絶縁性を有するので、該電力ケーブル支持用具を介しての地絡事故の発生を防止することができる。
【０００９】
他方、切断されることで分断した一次側及び二次側の電力ケーブルを連結する場合には、上述のように切断したのと同様に、分断して二本になった電力ケーブルがそれぞれ連結手段によって引き寄せられることになる。これにより、作業者が分断した一次側及び二次側の電力ケーブルを支持する必要がなく、連結される電力ケーブルの端部同士を容易に連結することができる。なお、分断された電力ケーブルの端部同士の連結は、一般的な工法（例えば、圧着スリーブによる圧着）により行うことができる。
【００１０】
以上のように、本発明に係る電力ケーブル支持用具を用いれば、作業者が一人であっても、切断対象或いは連結対象となる電力ケーブルが切断（分断）位置の両側を確実に支持した状態にすることができ、電力ケーブルに対する切断作業又は連結作業を容易に行うことが可能である。
【００１１】
本発明の一態様として、前記連結手段は、電気絶縁性を有する絶縁体と、伸縮自在に構成された伸縮体とを連結した連結体を備えるとともに、該連結体の絶縁体と伸縮体との連結方向の両端部に各取付手段に接続される接続体を備えていることが好ましい。このようにすれば、一対の接続体間（連結体）の絶縁体で電気絶縁を確実にすることができる上に、伸縮体の収縮作用を電力ケーブルに取り付けた取付手段間に作用させることもできる。
【００１２】
この場合、前記連結体は、前記絶縁体が碍子で構成されるとともに前記伸縮体がゴム材で構成されていることが好ましい。このようにすれば、碍子で確実な電気絶縁を図ることができる上に、伸縮体にも絶縁性を付与することができ、地絡事故をより確実に防止することができる。その上、伸縮体をゴム材とすることで、取付手段間での張力もより確実に作用させることができる。
【００１３】
本発明の他態様として、各取付手段は、連結手段が接続される被接続部を備えるとともに、前記連結手段は、両端部に前記被接続部に接続する接続体を備え、少なくとも何れか一方の接続体がフック部を備えるとともに、該接続体が接続される取付手段の前記被接続部が前記フック部を掛止可能に構成されてもよい。このようにすれば、一対の取付手段を電力ケーブルに取り付けるときに、連結手段の張力が作用しないため、電力ケーブルに取付手段を容易に取り付けることができ、フックを被掛止部に掛止させたときに一対の取付手段間で張力を作用させることができる。
【００１４】
そして、各取付手段は、電力ケーブルをその軸線に対して直交方向から嵌め込み可能に構成された取付手段本体と、該取付手段本体に嵌め込まれた電力ケーブルの軸線と交差方向に延びる軸線周りで回転可能に設けられたレバーと、前記取付手段本体内に設けられるとともに前記レバーに連動して前記軸線周りで回転可能な押圧体とを備え、該レバーが前記連結手段に直接的又は間接的に連結され、該連結手段の張力の作用で回転したときに、押圧体が電力ケーブルを取付手段本体の内面に押し付けるように構成されてもよい。
【００１５】
このようにすれば、電力ケーブルを取付手段本体に嵌め込むだけで取付手段を電力ケーブルに取り付けることができる。すなわち、連結手段の張力が作用すると、各取付手段のレバーが回転し、レバーに連動して回転した押圧部が電力ケーブルを取付手段本体の内周面に押し付ける結果、電力ケーブルが押圧体と取付手段本体とに挟持された状態になる。
【００１６】
従って、取付手段に対する操作として電力ケーブルを取付手段本体に嵌め込むだけで、各取付手段を電力ケーブルに取り付けることができる。そして、レバーを反対方向（連結手段の張力による回転とは反対方向）に回転させれば、押圧部による電力ケーブルの押圧が解除されることになり、嵌め込んだときとは逆に電力ケーブルを取付手段本体から引き出せば、取付手段を取り外すことができる。
【００１７】
また、別の態様として、各取付手段は、互いに接離可能に構成されて電力ケーブルの挟持とその解除とが可能に構成された一対の挟持体を備えたクリップであってもよい。このようにすれば、一対の挟持体で電力ケーブルを容易且つ確実に支持できる一方で、取り外しも容易である。
【００１８】
本発明に係る電力ケーブル支持方法は、架設された電力ケーブルを切断する切断作業、及び分断した一次側及び二次側の電力ケーブルを連結する連結作業の少なくとも何れか一方を行うときに、作業対象の電力ケーブルを支持する電力ケーブル支持方法であって、少なくとも一部に電気絶縁性を有するとともに少なくとも一部に伸縮性を有する連結手段によって連結される一対の取付手段のそれぞれを電力ケーブルの切断位置又は連結位置を介在させるように作業対象となる電力ケーブルに対して取り付け、取付手段間で連結手段に張力を作用させることを特徴とする。
【００１９】
上記電力ケーブル支持方法によれば、電力ケーブルの切断位置又は連結端を介在させるように作業対象の電力ケーブルに対して取り付けた取付手段間で連結手段に張力（収縮力）を作用させるので、電力ケーブルは各取付手段の取り付けられた部分同士が引き寄せられることになる。
【００２０】
従って、電力ケーブルを切断する場合には、取付手段間の電力ケーブルが撓むことになり、一対の取付手段間で電力ケーブルを切断すると、その切断位置の両側（取付手段の取り付けられた部分）が連結手段を介して連結され、且つその連結手段の収縮力で互いに引き寄せられたままとなる。これにより、電力ケーブルを切断しても両側の電力ケーブルが架設されたのと同様の態様で維持することになる。
【００２１】
そして、このように電力ケーブルが切断され、連結手段を介して電力ケーブル同士が連結された状態で維持したとしても、前記連結手段が電気絶縁性を有するので、当該電力ケーブル支持用具（連結手段）を介しての地絡事故の発生を防止することができる。
【００２２】
他方、分断した一次側及び二次側の電力ケーブルを連結する場合には、上述のように切断したのと同様に、分断して二本になった電力ケーブルがそれぞれ連結手段によって引き寄せられることになるので、作業者が間接活線操作棒等の操作具で各電力ケーブルを引き寄せなる必要がなく、一次側及び二次側の電力ケーブルの端部同士を容易に連結することができる。なお、分断された電力ケーブルの端部同士の連結は、一般的な工法（例えば、圧着スリーブによる圧着）により行うことができる。
【００２３】
以上のように、本発明に係る電力ケーブル支持方法を採用すれば、作業者が一人であっても、切断対象或いは連結対象となる電力ケーブルが切断（分断）位置の両側を確実に支持した状態にすることができ、電力ケーブルに対する切断作業又は連結作業を容易に行うことが可能である。
【００２４】
この場合、連結手段の一端に固着された一方の取付手段を電力ケーブルに取り付けるとともに、フックを掛止可能な被接続部の形成された他方の取付手段を電力ケーブルに取り付け、連結手段の他端部に設けられフックを前記被接続部に掛止させることが好ましい。このようにすれば、一対の取付手段を電力ケーブルに取り付けるときに、連結手段の収縮力（張力）が作用しないため、容易に電力ケーブルに取付手段を取り付けることができ、フックを被接続部に掛止させたときに一対の取付手段間で張力を作用させることができる。
【発明の効果】
【００２５】
以上のように、本発明に係る電力ケーブル支持用具及び電力ケーブル支持方法によれば、架設された電力ケーブルの切断作業や分断した一次側及び二次側の電力ケーブルの連結作業を行うときに、作業対象となる電力ケーブルの支持と、電力ケーブルに対する切断作業又は連結作業とを一人の作業者で行うことができるという優れた効果を奏し得る。
【発明を実施するための最良の形態】
【００２６】
以下、本発明の一実施形態に係るについて添付図面を参照しつつ説明する。
本実施形態に係る電力ケーブル支持用具は、図１（ａ）及び図１（ｂ）に示す如く、電力ケーブルに対して着脱可能に構成された一対の取付手段１０ａ，１０ｂと、該一対の取付手段１０ａ，１０ｂ同士を連結する連結手段２０と、を備えている。
【００２７】
前記一対の取付手段１０ａ，１０ｂのそれぞれは、図２（ａ）〜（ｃ）に示す如く、電力ケーブルＣをその軸線に対して直交方向から嵌め込み可能に構成された取付手段本体１００と、該取付手段本体１００に嵌め込まれた電力ケーブルＣの軸線と交差方向に延びる軸線周りで回転可能に設けられたレバー１０１と、前記取付手段本体１００内に設けられるとともに前記レバー１０１に連動して前記軸線周りで回転可能な押圧体１０２とを備えている。なお、図２（ａ）〜（ｃ）は、一方の取付手段１０ａを示しているが、他方の取付手段１０ｂとは後述する被接続部１０６の構成を異にする以外は同一であるので、図２を参照して両取付手段１０ａ，１０ｂについて説明する。
【００２８】
前記取付手段本体１００は、剛性のある成型品で、電力ケーブルＣを嵌込可能で且つ収容可能に構成された本体部１１０と、該本体部１１０の外周に延設された延出部１１１とを備える。
【００２９】
前記本体部１１０は、電力ケーブルＣの嵌め込み及び抜き取りを行う開口（以下、着脱用開口という）１１２が一方向（以下、この方向を長さ方向という）の全長に亘って形成されるとともに、該着脱用開口１１２に連通した内部空間１１３が長さ方向の全長に亘って形成されている。これにより、本体部１１０は長さ方向の両端が開口しており、着脱用開口１１２を介して内部空間１１３に嵌め込まれた電力ケーブルＣが両端開口から延出する、すなわち、電力ケーブルＣを挿通した状態になるように構成されている。本実施形態に係る本体部１１０は、上述のように着脱用開口１１２と内部空間１１３を形成することで、断面略Ｃ字状を呈している。
【００３０】
そして、該本体部１１０には、前記押圧体１０２の後述するアーム１０２ａを内部空間１１３と外部とに跨るように挿通させるため開口（以下、アーム挿通用開口という）１１４が形成されている。該アーム挿通用開口１１４は、本体部１１０の長さ方向と直交する方向（周方向）に前記着脱用開口１１２からずれた位置に形成されている。すなわち、アーム挿通用開口１１４は、対向する領域に本体部１１０の内周面の存在する位置に設けられている。該アーム挿通用開口１１４は、本体部１１０の長さ方向に延びる長穴状に形成されており、本実施形態においては、本体部１１０の長さ方向に間隔をおいて二カ所に設けられている。
【００３１】
前記延出部１１１は、前記アーム挿通用開口１１４毎に設けられており、レバー１０１を枢着するピンＰを挿通するための穴１１５が穿設されている。該延出部１１１は、本体部１１０の長さ方向と直交する方向で前記アーム挿通用開口１１４に隣接して設けられており、本実施形態においては、該アーム挿通用開口１１４の両側に設けられている。
【００３２】
前記レバー１０１は、一方向が長手になるように形成されており、その長手方向の一端部に前記延出部１１１の穴１１５に挿通される前記ピンＰが固着されている。本実施形態に係るレバー１０１は、平面視Ｖ字状に形成されている。すなわち、本実施形態に係るレバー１０１は、屈曲した領域（屈曲領域）と、その屈曲領域の両端から延出した一対の延出領域とで構成されている。そして、本実施形態に係るレバー１０１は、前記屈曲領域及び一対の延出領域を形成した二枚のレバー板材１０１ａ，１０１ｂで構成されており、該レバー板材１０１ａ，１０１ｂの一端部（一方の延出領域の先端部）でアーム挿通用開口１１４の両側にある二つの延出部１１１，１１１を挟み込むように配置され、二つの延出部１１１，１１１の穴１１５に挿通したピンＰの両端が各レバー板材１０１ａ，１０１ｂに固着されている。そして、本実施形態においては、上述の如く、アーム挿通用開口１１４が二つ設けられ、延出部１１１，１１１が各アーム挿通用開口１１４に対応して設けられているため、上記構成のレバー１０１が延出部１１１，１１１の配置に対応して二つ設けられている。
【００３３】
なお、本実施形態に係るレバー１０１は、二枚のレバー板材１０１ａ，１０１ｂを一体化させるべく、二枚のレバー板材１０１ａ，１０１ｂの屈曲領域同士がピン結合されている。
【００３４】
上記構成のレバー１０１は、他端部が連結手段２０に連結されるようになっている。本実施形態においては、上述の如くレバー１０１が二つ設けられているため、これらを連動してピンＰ周りで回転させるべく、各レバー１０１の他端部が、共通のベース体１０５に枢着されている。該ベース体１０５は、帯板状に形成されており、一端部に連結手段２０が連結される被接続部１０６が設けられている。そして、上記二つのレバー１０１は、それぞれ長手方向の他端部がピン１０７を介してベース体１０５に枢着されている。具体的には、上述の如く、レバー１０１は、二枚のレバー板材１０１ａ，１０１ｂで構成されているので、二枚のレバー板材１０１ａ，１０１ｂの他端部でベース体１０５を挟み込み、これらにピン１０７を挿通することで、レバー１０１がそのピン１０７周りで回転できるようになっている。これにより、取付手段本体１００、二本のレバー１０１，１０１及びベース体１０５によって四節リンクが形成されている。
【００３５】
前記押圧体１０２は、レバー１０１の一端に固着されたピンＰに固着されたアーム１０２ａと、該アーム１０２ａの先端に設けられた押圧部１０２ｂとで構成されている。前記アーム１０２ａは、アーム挿通用開口１１４に挿通されており、一端部が二つの延出部１１１，１１１の間で前記ピンＰに固定され、他端側が本体部１１０の内部（内部空間１１３）内に臨出している。そして、図示しないが、押圧部１０２ｂには電力ケーブルＣに対する滑り止めが施されている。
【００３６】
このようにアーム１０２ａをレバー１０１に固着されたピンＰに固定することで、レバー１０１，１０１がピンＰ周りで回転したときに、アーム１０２ａ（押圧体１０２）が回転し、押圧部１０２ｂが内部空間１１３の中心側に向けて移動できるようになっている。すなわち、レバー１０１の回転に連動して押圧体１０２が回転し、取付手段本体１００（内部空間１１３）に嵌め込んだ電力ケーブルＣを押圧部１０２ｂが押圧して該押圧部１０２ｂと取付手段本体１００の内面とに電力ケーブルＣを挟み込むようになっている。
【００３７】
一対の取付手段１０ａ，１０ｂは、以上の構成が基本構成とされており、一方の取付手段１０ａが連結手段２０の一端に連結され、他方の取付手段１０ｂが連結手段２０の他端に連結される。本実施形態では、連結手段２０の構成に対応して、各取付手段１０ａ，１０ｂの被接続部１０６，１０６の態様が異なる。すなわち、連結手段２０の一端に連結される一方の取付手段１０ａの被接続部１０６は、連結手段２０の後述する一方の連結体（リング体）２０４を介設できるように、互いに対向してベース体１０５から延出する一対の対向プレート１０８，１０８で構成されている。
【００３８】
この一対の対向プレート１０８，１０８には、ボルトを挿通させるボルト穴１０８ａが穿設されており、後述する一方の接続体（リング体）２０４を介装した状態で、ボルト穴１０８ａに挿通したボルトＢにナットＮをねじ込むことで連結手段２０の一端（連結体としてのリング体２０４）と取付手段１０ａとを接続できるようになっている。
【００３９】
他方、連結手段２０の他端（後述する他方の接続体２０５）が接続される取付手段１０ｂの被接続部１０６は、図１（ａ）及び図１（ｂ）に示す如く、ベース体１０５から延出した単一のプレートで構成されており、連結手段２０の後述するフック部（フック）２０５ａを掛止させる掛止穴１０９が穿設されている。
【００４０】
そして、本実施形態に係る連結手段２０は、少なくとも一部に電気絶縁性を有するとともに、少なくとも一部に伸縮性を有して構成されている。この連結手段２０の伸縮性は、連結手段２０の全体を伸縮性の有するもので構成したり、連結手段２０の少なくとも一部を伸縮性の有する素材で構成したりすること付与されるものであり、本実施形態においては、連結手段２０の一部に伸縮性の有するものを採用することで該連結手段２０に伸縮性を付与している。
【００４１】
より具体的には、前記連結手段２０は、電気絶縁性を有する絶縁体２０１と、伸縮自在に構成された伸縮体２０２とを連結した連結体２０３を備えるとともに、該連結体２０３の絶縁体２０１と伸縮体２０２との連結方向の両端部に各取付手段１０ａ，１０ｂに接続する接続体２０４、２０５を備えている。
【００４２】
前記絶縁体２０１は、電気絶縁性に優れた碍子で構成される一方、前記伸縮体２０２は、絶縁体２０１に連設された紐状のゴム材で構成されている。
【００４３】
前記絶縁体（碍子）２０１には、両端にリング体２０４，２０６が取り付けられており、そのうちの一方のリング体２０４は、上述の如く、ボルトＢとナットＮとの螺合により直接的に一方の取付手段１０ａの被接続部１０６に接続する一方の接続体として機能する。そして、前記伸縮体２０２は、絶縁体（碍子）２０１に取り付けられた他方のリング体２０６に一端側が連結されており、その他端に他方の接続体２０５が連結されている。
【００４４】
該他方の接続体２０５は、他方の取付手段１０ｂの前記被接続部１０６に掛止させるフック部（フック）２０５ａと、該フック部２０５ａの基端部に連設されたプレート部２０５ｂとで構成されており、該プレート部２０５ｂには、伸縮体２０２の他端部を挿通する挿通穴２０７が穿設されている。そして、該他方の接続体２０５は、挿通穴２０７に挿通した伸縮体２０２の他端部を折り返し、その伸縮体２０２の他端部とそれに対向する部分（伸縮体２０２）とが結束されることにより、伸縮体２０２の他端側が連結されている。なお、伸縮体２０２の一端側においては、リング体２０６の穴に挿通した一端部を折り返し、これに対向する部分とを結束することにより、絶縁体２０１に連結されている。
【００４５】
本実施形態係る電力ケーブル支持用具１は、以上の構成からなり、次に、該電力ケーブル支持用具１の作用について説明する。なお、本実施形態に係る電力ケーブル支持用具１は、架設された電力ケーブルＣを切断する切断作業、及び切断によって分断した一次側及び二次側の電力ケーブルＣを連結する連結作業の少なくとも何れか一方を行う際に、その作業の対象となる電力ケーブルを支持するもので、電力ケーブルＣの姿勢を問わないが、以下の説明においては、図３に示す如く、上下方向に架設された電力ケーブル、いわゆる引き下げ線Ｃを切断する場合を一例に説明することとする。
【００４６】
まず、図４（ａ）に示す如く、切断の対象となる架設された電力ケーブルＣ（図においては、上下方向に延びる引き下げ線）に対して切断位置を挟んで一対の取付手段１０ａ，１０ｂを取り付ける。本実施形態に係る電力ケーブル支持用具１は、一方の接続体２０４が取付手段１０ａ，１０ｂに固着されているので、上述のように電力ケーブルＣに取付手段１０ａ，１０ｂを取り付けるときには、該一方の接続体２０４の接続された一方の取付手段１０ａが上方側に位置するように電力ケーブルＣに取り付ける。
【００４７】
この際、取付手段１０ａ，１０ｂのレバー１０１を連結手段２０側に回転させるようにすることで、押圧体１０２が回転し押圧部１０２ｂが電力ケーブルＣを押圧した状態となり脱落が防止された状態になる。この状態で、一方の取付手段１０ａに固着された連結手段２０の下端（フック部２０５ａ）側が自由端となってフリーな状態になる。そして、他方の取付手段１０ｂは、フック部２０５ａを掛止させる被接続部１０６が垂下状態にあるフック部２０５ａよりも下方に位置するように電力ケーブルＣに取り付ける。すなわち、一対の取付手段１０ａ，１０ｂの間隔が、連結手段２０の全長よりもやや広くなるように、他方の取付手段１０ｂを電力ケーブルＣに取り付ける。
【００４８】
しかる後、図４（ｂ）に示す如く、フリーな状態にある連結手段２０の接続体２０５（フック部２０５ａを他方の取付手段１０ｂの被接続部１０６に掛止させる。この際、他方の取付手段１０ｂの被接続部１０６は、フック部２０５ａよりも下方に位置するため、伸縮体２０２を長手方向に伸ばした上でフック部２０５ａを被接続部１０６に掛止させる。
【００４９】
そうすると、伸縮体２０２が長手方向（線方向）に伸長（弾性変形）し、その伸長に伴って一対の取付手段１０ａ，１０ｂ間で張力（収縮力）が作用することになる。そうすると、図５に示す如く、連結手段２０（伸縮体２０２）による張力で、各取付手段１０ａ，１０ｂのレバー１０１が積極的に回転しようとして、それぞれの押圧体１０２が電力ケーブルＣを押圧し、取付手段本体１００と押圧体１０２とで電力ケーブルＣを挟んだ状態（支持した状態）になる。
【００５０】
また、これに併せて、図４（ｂ）に示す如く、電力ケーブルＣは、各取付手段１０ａ，１０ｂの取り付けられた部分が互いに引き寄せられることになる。従って、架設されて連続する電力ケーブルＣに一対の取付手段１０ａ，１０ｂと取り付けるとともに、その一対の取付手段１０ａ，１０ｂを連結手段２０で連結すると、電力ケーブルＣが一対の取付手段１０ａ，１０ｂ間で撓んだ状態になる。すなわち、連結手段２０が収縮力を作用させつつ一対の取付手段１０ａ，１０ｂの取り付け位置に対応して伸長した状態になり、一対の取付手段１０ａ，１０ｂ間の電力ケーブルＣにおいて、架設に伴う張力（電力ケーブルＣの自重による張力）が作用しなくなる。
【００５１】
そして、図４（ｃ）に示す如く、電力ケーブルＣの撓んだ部位をカッター等の切断手段（図示しない）で切断する。そうすると、上述の如く、電力ケーブルＣが取付手段１０ａ，１０ｂ間で撓んでいた（引っ張り作用が生じていない）ため、連結手段２０（伸縮体２０２）が現状の伸長状態で維持し、切断された電力ケーブルＣ（分断した一次側及び二次側の電力ケーブルＣ）が定位置で維持することになる。
【００５２】
そして、切断された端部を絶縁材料（絶縁テープ等）で端部処理を行った上で、各種の停電作業を行うことができる。以上のように架設された電力ケーブルＣの切断作業を一人の作業者で円滑に行うことができる。
【００５３】
そして、切断することで分断した一次側及び二次側の電力ケーブルＣを連結する場合、図４（ｃ）に示した状態（電力ケーブル支持用具１を取り付けて電力ケーブルＣを切断した状態）が維持され、上述のように分断した一次側及び二次側の電力ケーブルＣが引き寄せられた状態になっているので、例えば、筒状の圧着スリーブの両端部に分断した各電力ケーブルＣの端部を挿入した上でカシメ処理すれば、分断した電力ケーブルＣを連結することができる。なお、電力ケーブルＣを切断した後（切断端部を絶縁処理した後）に当該電力ケーブル支持用具１を取り外してしまった場合であって、その電力ケーブルＣを連結する場合には、その分断位置を介在させるように各取付手段１０ａ，１０ｂを分断された一次側の電力ケーブルＣと二次側の電力ケーブルＣに取り付けて、これらを連結手段２０で連結すれば、図４（ｃ）に示す状態に戻すことができ、この場合においても、分断した電力ケーブルＣを容易に連結することができる。
【００５４】
そして、圧着スリーブを絶縁材料（例えば、絶縁テープ）で被覆した上で、電力ケーブルＣから各取付手段１０ａ，１０ｂを取り外すことで、一連の作業が完了する。本実施形態においては、他方の接続体２０４がフック部２０５ａを備えているので、取り付けた場合とは逆の作業手順、すなわち、フック部２０５ａを被接続部１０６から外して張力の作用を解除した上で、各取付手段１０ａ，１０ｂを取り外せば円滑に取り外すことができる。なお、各取付手段１０ａ，１０ｂを電力ケーブルＣから取り外す場合、レバー１０１を取り付けの場合と逆方向に回転させることで、電力ケーブルＣを押圧していた押圧体１０２が電力ケーブルＣから離間させることができ、着脱用開口１１２から電力ケーブルＣを抜き出せばよい。
【００５５】
以上のように、本実施形態に係る電力ケーブル支持用具１及び電力ケーブル支持方法によれば、電力ケーブルＣの各取付手段１０ａ，１０ｂの取り付けられた部分同士を引き寄せることができるので、作業者が一人であっても、切断対象或いは連結対象となる電力ケーブルＣが切断（分断）位置の両側で確実に支持した状態にすることができ、電力ケーブルＣを切断又は連結することが可能である。
【００５６】
また、前記連結手段２０が、電気絶縁性を有する絶縁体２０１と、伸縮自在に構成された紐状の伸縮体２０２とを連結した連結体２０３を備えるとともに、該連結体２０３の絶縁体２０１体と伸縮体２０２との連結方向の両端部に各取付手段１０ａ，１０ｂに接続される接続体２０４，２０５を備えているので、一対（二つ）の接続体２０４，２０５間（連結手段２０）の絶縁体２０１で電気絶縁を確実にすることができる上に、伸縮体２０２の張力（収縮作用）を電力ケーブルＣに取り付けた取付手段１０ａ，１０ｂ間に作用させることもできる。
【００５７】
特に、前記絶縁体２０１が碍子で構成されるとともに前記伸縮体２０２がゴム材で構成されているので、碍子２０１で確実な電気絶縁を図ることができる上に、伸縮体２０２にも電気絶縁性を付与することができ、地絡事故の発生をより確実に防止することができる。その上、伸縮体２０２をゴム材とすることで、取付手段１０ａ，１０ｂ間での張力もより確実に作用させることができる。
【００５８】
また、前記連結手段２０の一方の接続体２０５がフック部２０５ａを備え、該接続体２０５を接続する他方の取付手段１０ｂが、フック部２０５ａを掛止可能に構成された被接続部１０６を備えているので、一対の取付手段１０ａ，１０ｂを電力ケーブルＣに取り付けるときに、伸縮体２０２の伸縮力（張力）が作用せず、電力ケーブルＣに容易に取り付けることができる。そして、フック部２０５ａを被接続部１０６に掛止させたときに一対の取付手段１０ａ，１０ｂ間に必要且つ十分な張力を作用させることができる。
【００５９】
そして、各取付手段１０ａ，１０ｂは、電力ケーブルＣをその軸線に対して直交方向から嵌め込み可能に構成された取付手段本体１００と、該取付手段本体１００に前記電力ケーブルＣの軸線と交差方向に延びる軸線周りで回転可能に設けられたレバー１０１と、前記取付手段本体１００内に設けられるとともに前記レバー１０１に連動して前記軸線周りで回転可能な押圧体１０２とを備え、該レバー１０１が前記連結手段２０に直接的又は間接的に連結され、該連結手段２０の張力の作用で回転したときに、押圧体１０２が電力ケーブルＣを取付手段本体１００の内面に押し付けるように構成したので、電力ケーブルＣに対する取付手段１０ａ，１０ｂの着脱が容易である。
【００６０】
尚、本発明は、上記実施形態に限定されるものではなく、本発明の要旨を逸脱しない範囲内において種々変更を加え得ることは勿論である。
【００６１】
上記実施形態において、上下方向に架設した電力ケーブルＣを対象に説明したが、これに限定されるものではなく、例えば、横方向又は斜め方法に架設された電力ケーブルＣを切断又は連結する場合であっても、当然に同様の作用及び効果を奏する。
【００６２】
上記実施形態において、レバー１０１の回転で押圧体１０２が電力ケーブルＣを押圧するように取付手段１０ａ，１０ｂを構成したが、これに限定されるものではなく、例えば、図６（ａ）に示す如く、各取付手段１０ａ，１０ｂは、互いに接離可能に構成されて電力ケーブルＣの挟持とその解除とを可能に構成された一対の挟持体３００ａ，３００ｂを備えたものであってもよい。具体的には、一対の挟持体３００ａ，３００ｂ同士を枢着し、その枢着軸３０１周りで相対的に回転することで互いに接離できるように構成し、常態において、一対の挟持体３００ａ，３００ｂが互いに密接するように付勢する付勢手段３０３を設けるとともに、その付勢手段３０３の付勢力に抗して一対の挟持体３００ａ，３００ｂを離間させる把持片３０２ａ，３０２ｂを、各挟持体３００ａ，３００ｂに延設するようにしてもよい。この場合、挟持体３００ａ，３００ｂの互いに密接する部分に滑り止めを設けたり、電力ケーブルＣが嵌め合わされる凹部を設けたりすることが好ましい。このようにすれば、電力ケーブルＣを挟持体３００ａ，３００ｂに挟持させるだけで、電力ケーブルＣに取り付けることができる。
【００６３】
また、図６（ｂ）に示す如く、上記実施形態と同様に、電力ケーブルＣの嵌め込み及び抜き取りを行う着脱用開口３５１が長さ方向の全長に亘って形成されるとともに、該着脱用開口３５１に連通した内部空間３５２が長さ方向の全長に亘って形成された取付手段本体（上記実施形態の本体部）３５０に対し、内部空間３５２に対して出退する出退部材３５３を取付手段本体３５０に設け、該出退部材３５３が内部空間３５２内に突出したときに電力ケーブルＣが該出退部材３５２と取付手段本体１００の内面とに挟まれて支持されるようなものであってもよい。この場合、出退部材３５２の構成を簡素化するには、該出体部材３５２をボルトで構成し、該ボルトを軸線周りで回転させることで電力ケーブルＣを挟むようにしてもよい。但し、操作性の観点においては、上記実施形態の取付手段１０ａ，１０ｂや、上述した一対の挟持体３００ａ，３００ｂを備えたクリップの如き態様の取付手段１０ａ，１０ｂを採用することが好ましい。また、取付手段１０ａ，１０ｂを電力ケーブルＣの被覆を挟む構成にする場合、対向する挟持面に凹凸等を設けて滑り止めを設けることが好ましい。
【００６４】
上記実施形態において、一方の取付手段１０ａを絶縁体２０１に直接連結する一方で、伸縮体２０２を介して他方の取付手段１０ｂを絶縁体２０１に連結するようにしたが、これに限定されるものではなく、例えば、一方の取付手段１０ａも伸縮体２０２を介して絶縁体２０１に連結してもよいし、或いは、各取付手段１０ａ，１０ｂを絶縁体２０１に直接取り付けるとともに、該絶縁体２０１を分割しつつも伸縮材を介して連結するようにしたりしてもよい。
【００６５】
上記実施形態において、絶縁体２０１に碍子を採用し、伸縮体２０２にゴム材を採用したが、例えば、絶縁体２０１を設けることを前提に、伸縮体２０２をゴム材に代えてコイルバネで構成しても連結手段２０に伸縮性を持たせることができ、上記実施形態と同様に取付手段１０ａ，１０ｂの取り付け位置を引き寄せるようにして電力ケーブルＣを支持することができる。但し、連結手段２０電気絶縁性を高めるには、コイルバネを非金属（絶縁材料）で構成したり、上記実施形態と同様に電気絶縁性に優れたゴム材で伸縮体２０２を構成したりすることが好ましいことは言うまでもない。
【００６６】
上記実施形態において、絶縁体２０１と伸縮体２０２との連結体２０３の両端部に接続体２０４，２０５を取り付けて連結手段２０としたが、これに限定されるものではなく、例えば、連結手段２０全体（実際には上記実施形態における連結体２０３）を単一なゴム材で構成し、該ゴム材で一対の取付手段１０ａ，１０ｂを連結するようにしてもよい。すなわち、一対の取付手段１０ａ，１０ｂを連結する連結手段２０は、電気絶縁性と伸縮性とを備えていればよく、必ずしも絶縁体２０１を備えている必要はない。但し、地絡事故防止の観点において、確実な電気絶縁を図るには、一対の取付手段１０ａ，１０ｂの間に碍子のような絶縁体２１０を設けることが好ましい。
【００６７】
また、連結手段２０に絶縁体２０１を設ける場合、上記実施形態の態様に限定されるものではなく、例えば、伸縮体２０２を介して複数の絶縁体２０１…を連結して連結体２０３としたり、単一の絶縁体２０１の両側に伸縮体２０２，２０２を連結して連結体２０３としたりしても勿論よい。
【００６８】
上記伸縮体２０２に、ゴム材を採用したが、ゴム材を繊維で被覆したゴム紐や、複数のゴム紐を編み込んだもの、紐状のゴム材を複数編み込んだもの等、種々採用することができる。
【００６９】
上記実施形態において、連結手段２０の一方の接続体２０４を取付部材１０ａに対して固着したが、これに限定されるものではなく、例えば、他方の接続体２０５と同様に、一方の接続体２０４にフック部を設けるとともに、該フック部を掛止可能に一方の取付手段１０ｂの被接続部１０６を構成し、フック部を被接続部１０６に掛止させるように構成してもよい。
【００７０】
また、これとは逆に、例えば、一方の取付手段１０ａと同様に、他方の接続体２０５を他方の取付手段１０ｂに固着させるようにしても勿論よい。但し、電力ケーブルＣに対する一対の取付手段１０ａ，１０ｂの取り付けを考慮すれば、少なくとも何れか一方の接続体２０４，２０５にフック部２０５ａを設け、その接続体２０４，２０５を接続する取付手段１０ａ，１０ｂの被接続部１０６，１０６がフック部２０５ａを掛止可能に構成することが好ましい。
【図面の簡単な説明】
【００７１】
【図１】本発明の一実施形態に係る電力ケーブル支持用具の全体図であって、（ａ）は平面図を示し、（ｂ）は正面図を示す。
【図２】同実施形態に係る電力ケーブル支持用具の取付手段の全体図であって、（ａ）は、拡大正面図を示し、（ｂ）は、拡大縦断面図を示し、（ｃ）は、（ａ）のＩ−Ｉ断面図を示す。
【図３】同実施形態に係る電力ケーブル支持用具を用いて切断及び連結する対象となる電力ケーブルの配置を表す斜視図を示す。
【図４】同実施形態に係る電力ケーブル支持用具を用いて電力ケーブルを切断するときの作業状態図であって、（ａ）は、取付部材を電力ケーブルに取り付けた状態を示し、（ｂ）は、フックを他方の取付手段の被接続部に掛止させた状態を示し、（ｃ）は、取付手段間の電力ケーブルを切断した状態を示す。
【図５】同実施形態に係る電力ケーブル支持用具の各取付手段を電力ケーブルに取り付けたときの状態の連結手段を省略した縦断面図を示す。
【図６】本発明の他実施形態に係る電力ケーブル支持用具の取付手段の説明図であって、（ａ）はクリップタイプの取付手段を示し、（ｂ）は、出退部材を備えた取付手段を示す。
【図７】従来の作業状況を説明するための作業者を省略した斜視図であって、架設された電力ケーブルを絶縁ヤットコで支持した状態を示す。
【符号の説明】
【００７２】
１…電力ケーブル支持用具、１０…取付手段、２０…連結手段、１００…取付手段本体、１０１…レバー、１０１ａ，１０１ｂ…レバー板材、１０２…押圧体、１０２ａ…アーム、１０２ｂ…押圧部、１０５…ベース体、１０６…被接続部、１０７…ピン、１０８…対向プレート、１０８ａ…ボルト穴、１０９…掛止穴、１１０…本体部、１１１…延出部、１１２…着脱用開口、１１３…内部空間、１１４…アーム挿通用開口、１１５…穴、２０１…絶縁体（碍子）、２０２…伸縮体（ゴム材）、２０３…連結体、２０４…接続体（リング体）、２０５…接続体、２０５ａ…フック部、２０５ｂ…プレート部、２０６…リング体、２０７…挿通穴、２１０…絶縁体、Ｂ…ボルト、Ｃ…電力ケーブル、Ｎ…ナット、Ｐ…ピン
【図１】
2008253053.tif 000003
【図２】
2008253053.tif 000004
【図３】
2008253053.tif 000005
【図４】
2008253053.tif 000006
【図５】
2008253053.tif 000007
【図６】
2008253053.tif 000008
【図７】
2008253053.tif 000009
【手続補正書】
【提出日】平成19年11月15日(2007.11.15)
【手続補正１】
【補正対象書類名】特許請求の範囲
【補正対象項目名】全文
【補正方法】変更
【補正の内容】
【特許請求の範囲】
【請求項１】
架設された電力ケーブルを切断する切断作業、及び分断した一次側及び二次側の電力ケーブルを連結する連結作業の少なくとも何れか一方を行う際に、その作業の対象となる電力ケーブルを支持する電力ケーブル支持用具であって、電力ケーブルに対して着脱可能に構成された一対の取付手段と、該一対の取付手段を連結する連結手段とを備え、該連結手段は、少なくとも一部が電気絶縁性を有するとともに、少なくとも一部が弾性によって伸縮性を有していることを特徴とする電力ケーブル支持用具。
【請求項２】
前記連結手段は、電気絶縁性を有する絶縁体と、弾性によって伸縮自在に構成された伸縮体とを連結した連結体を備えるとともに、該連結体の絶縁体と伸縮体との連結方向の両端部に各取付手段に接続される接続体を備えている請求項１記載の電力ケーブル支持用具。
【請求項３】
前記連結体は、前記絶縁体が碍子で構成されるとともに前記伸縮体がゴム材で構成されている請求項２記載の電力ケーブル支持用具。
【請求項４】
各取付手段は、連結手段が接続される被接続部を備えるとともに、前記連結手段は、両端部に前記被接続部に接続する接続体を備え、少なくとも何れか一方の接続体がフック部を備えるとともに、該接続体が接続される取付手段の前記被接続部が前記フック部を掛止可能に構成されている請求項１乃至３の何れか１項に記載の電力ケーブル支持用具。
【請求項５】
各取付手段は、電力ケーブルをその軸線に対して直交方向から嵌め込み可能に構成された取付手段本体と、該取付手段本体に嵌め込まれた電力ケーブルの軸線と交差方向に延びる軸線周りで回転可能に設けられたレバーと、前記取付手段本体内に設けられるとともに前記レバーに連動して前記軸線周りで回転可能な押圧体とを備え、該レバーが前記連結手段に直接的又は間接的に連結され、該連結手段の張力の作用で回転したときに、押圧体が電力ケーブルを取付手段本体の内面に押し付けるように構成されている請求項１乃至４の何れか１項に記載の電力ケーブル支持用具。
【請求項６】
各取付手段は、互いに接離可能に構成されて電力ケーブルの挟持とその解除とが可能に構成された一対の挟持体を備えたクリップである請求項１乃至４の何れか１項に記載の電力ケーブル支持用具。
【請求項７】
架設された電力ケーブルを切断する切断作業、及び分断した一次側及び二次側の電力ケーブルを連結する連結作業の少なくとも何れか一方を行うときに、作業対象の電力ケーブルを支持する電力ケーブル支持方法であって、少なくとも一部が電気絶縁性を有するとともに少なくとも一部が弾性によって伸縮性を有する連結手段によって連結される一対の取付手段のそれぞれを電力ケーブルの切断位置又は連結位置を介在させるように作業対象となる電力ケーブルに対して取り付け、取付手段間で連結手段に張力を作用させることを特徴とする電力ケーブル支持方法。
【請求項８】
連結手段の一端に固着された一方の取付手段を電力ケーブルに取り付けるとともに、フックを掛止可能な被接続部の形成された他方の取付手段を電力ケーブルに取り付け、連結手段の他端部に設けられたフックを前記被接続部に掛止させる請求項７記載の電力ケーブル支持方法。
【手続補正２】
【補正対象書類名】明細書
【補正対象項目名】０００６
【補正方法】変更
【補正の内容】
【０００６】
本発明に係る電力ケーブル支持用具は、架設された電力ケーブルを切断する切断作業、及び分断した一次側及び二次側の電力ケーブルを連結する連結作業の少なくとも何れか一方を行う際に、その作業の対象となる電力ケーブルを支持する電力ケーブル支持用具であって、電力ケーブルに対して着脱可能に構成された一対の取付手段と、該一対の取付手段を連結する連結手段とを備え、該連結手段は、少なくとも一部が電気絶縁性を有するとともに、少なくとも一部が弾性によって伸縮性を有していることを特徴とする。
【手続補正３】
【補正対象書類名】明細書
【補正対象項目名】０００７
【補正方法】変更
【補正の内容】
【０００７】
上記構成の電力ケーブル支持用具によれば、電力ケーブルに対して着脱可能に構成された一対の取付手段と、該一対の取付手段を連結する連結手段とを備え、該連結手段は、少なくとも一部が電気絶縁性を有するとともに、少なくとも一部が弾性によって伸縮性を有しているため、一対の取付手段を連結手段の全長よりも広い間隔をあけて電力ケーブルに取り付けると、一対の取付手段の間で連結手段に張力（収縮力）が作用する。
【手続補正４】
【補正対象書類名】明細書
【補正対象項目名】００１１
【補正方法】変更
【補正の内容】
【００１１】
本発明の一態様として、前記連結手段は、電気絶縁性を有する絶縁体と、弾性によって伸縮自在に構成された伸縮体とを連結した連結体を備えるとともに、該連結体の絶縁体と伸縮体との連結方向の両端部に各取付手段に接続される接続体を備えていることが好ましい。このようにすれば、一対の接続体間（連結体）の絶縁体で電気絶縁を確実にすることができる上に、伸縮体の収縮作用を電力ケーブルに取り付けた取付手段間に作用させることもできる。
【手続補正５】
【補正対象書類名】明細書
【補正対象項目名】００１８
【補正方法】変更
【補正の内容】
【００１８】
本発明に係る電力ケーブル支持方法は、架設された電力ケーブルを切断する切断作業、及び分断した一次側及び二次側の電力ケーブルを連結する連結作業の少なくとも何れか一方を行うときに、作業対象の電力ケーブルを支持する電力ケーブル支持方法であって、少なくとも一部が電気絶縁性を有するとともに少なくとも一部が弾性によって伸縮性を有する連結手段によって連結される一対の取付手段のそれぞれを電力ケーブルの切断位置又は連結位置を介在させるように作業対象となる電力ケーブルに対して取り付け、取付手段間で連結手段に張力を作用させることを特徴とする。
【手続補正６】
【補正対象書類名】明細書
【補正対象項目名】００２４
【補正方法】変更
【補正の内容】
【００２４】
この場合、連結手段の一端に固着された一方の取付手段を電力ケーブルに取り付けるとともに、フックを掛止可能な被接続部の形成された他方の取付手段を電力ケーブルに取り付け、連結手段の他端部に設けられたフックを前記被接続部に掛止させることが好ましい。このようにすれば、一対の取付手段を電力ケーブルに取り付けるときに、連結手段の収縮力（張力）が作用しないため、容易に電力ケーブルに取付手段を取り付けることができ、フックを被接続部に掛止させたときに一対の取付手段間で張力を作用させることができる。
【手続補正書】
【提出日】平成20年2月26日(2008.2.26)
【手続補正１】
【補正対象書類名】特許請求の範囲
【補正対象項目名】全文
【補正方法】変更
【補正の内容】
【特許請求の範囲】
【請求項１】
架設された電力ケーブルを切断する切断作業、及び分断した一次側及び二次側の電力ケーブルを連結する連結作業の少なくとも何れか一方を行う際に、その作業の対象となる電力ケーブルを支持する電力ケーブル支持用具であって、電力ケーブルに対して着脱可能に構成された一対の取付手段と、該一対の取付手段を連結する連結手段とを備え、該連結手段は、電気絶縁性を有する絶縁体と、弾性によって伸縮自在に構成された伸縮体とを連結した連結体を備えるとともに、該連結体の絶縁体と伸縮体との連結方向の両端部に各取付手段に接続される接続体を備え、前記切断作業、及び連結作業の少なくとも何れか一方を行う際に、電力ケーブルの切断位置又は連結位置を介在させ、且つ、伸縮体を前記連結方向に伸ばすべく、一対の取付手段を連結手段の全長よりも広い間隔で電力ケーブルに取り付けるように構成されていることを特徴とする電力ケーブル支持用具。
【請求項２】
前記連結体は、前記絶縁体が碍子で構成されるとともに前記伸縮体がゴム材で構成されている請求項１記載の電力ケーブル支持用具。
【請求項３】
各取付手段は、連結手段が接続される被接続部を備えるとともに、前記連結手段は、両端部に前記被接続部に接続する接続体を備え、少なくとも何れか一方の接続体がフック部を備えるとともに、該接続体が接続される取付手段の前記被接続部が前記フック部を掛止可能に構成されている請求項１又は２に記載の電力ケーブル支持用具。
【請求項４】
各取付手段は、電力ケーブルをその軸線に対して直交方向から嵌め込み可能に構成された取付手段本体と、該取付手段本体に嵌め込まれた電力ケーブルの軸線と交差方向に延びる軸線周りで回転可能に設けられたレバーと、前記取付手段本体内に設けられるとともに前記レバーに連動して前記軸線周りで回転可能な押圧体とを備え、該レバーが前記連結手段に直接的又は間接的に連結され、該連結手段の張力の作用で回転したときに、押圧体が電力ケーブルを取付手段本体の内面に押し付けるように構成されている請求項１乃至３の何れか１項に記載の電力ケーブル支持用具。
【請求項５】
各取付手段は、互いに接離可能に構成されて電力ケーブルの挟持とその解除とが可能に構成された一対の挟持体を備えたクリップである請求項１乃至３の何れか１項に記載の電力ケーブル支持用具。
【請求項６】
架設された電力ケーブルを切断する切断作業、及び分断した一次側及び二次側の電力ケーブルを連結する連結作業の少なくとも何れか一方を行うときに、作業対象の電力ケーブルを支持する電力ケーブル支持方法であって、電気絶縁性を有する絶縁体と、弾性によって伸縮自在に構成された伸縮体とを連結した連結体を備えた連結手段の絶縁体と伸縮体との連結方向の両端部に設けられた接続体に接続される一対の取付手段のそれぞれを、電力ケーブルの切断位置又は連結位置を介在させ、且つ、伸縮体を前記連結方向に伸ばすべく、連結手段の全長よりも広い間隔で作業対象となる電力ケーブルに対して取り付け、該一対の取付手段を連結した連結手段の伸縮体に張力を作用させることを特徴とする電力ケーブル支持方法。
【請求項７】
連結手段の一端部に設けられた一方の接続体に固着された一方の取付手段を電力ケーブルに取り付けるとともに、連結手段の他端部に設けられた他方の接続体としてのフックを掛止可能な被接続部の形成された他方の取付手段を電力ケーブルに取り付け、前記フックを前記被接続部に掛止させる請求項６記載の電力ケーブル支持方法。
【手続補正２】
【補正対象書類名】明細書
【補正対象項目名】０００６
【補正方法】変更
【補正の内容】
【０００６】
本発明に係る電力ケーブル支持用具は、架設された電力ケーブルを切断する切断作業、及び分断した一次側及び二次側の電力ケーブルを連結する連結作業の少なくとも何れか一方を行う際に、その作業の対象となる電力ケーブルを支持する電力ケーブル支持用具であって、電力ケーブルに対して着脱可能に構成された一対の取付手段と、該一対の取付手段を連結する連結手段とを備え、該連結手段は、電気絶縁性を有する絶縁体と、弾性によって伸縮自在に構成された伸縮体とを連結した連結体を備えるとともに、該連結体の絶縁体と伸縮体との連結方向の両端部に各取付手段に接続される接続体を備え、前記切断作業、及び連結作業の少なくとも何れか一方を行う際に、電力ケーブルの切断位置又は連結位置を介在させ、且つ、伸縮体を前記連結方向に伸ばすべく、一対の取付手段を連結手段の全長よりも広い間隔で電力ケーブルに取り付けるように構成されていることを特徴とする。
【手続補正３】
【補正対象書類名】明細書
【補正対象項目名】０００７
【補正方法】変更
【補正の内容】
【０００７】
上記構成の電力ケーブル支持用具によれば、電力ケーブルに対して着脱可能に構成された一対の取付手段と、該一対の取付手段を連結する連結手段とを備え、該連結手段は、電気絶縁性を有する絶縁体と、弾性によって伸縮自在に構成された伸縮体とを連結した連結体を備えるとともに、該連結体の絶縁体と伸縮体との連結方向の両端部に各取付手段に接続される接続体を備え、前記切断作業、及び連結作業の少なくとも何れか一方を行う際に、電力ケーブルの切断位置又は連結位置を介在させ、且つ、伸縮体を前記連結方向に伸ばすべく、一対の取付手段を連結手段の全長よりも広い間隔で電力ケーブルに取り付けるように構成されているので、一対の接続体間（連結体）の絶縁体で電気絶縁を確実にすることができる上に、伸縮体の収縮作用を電力ケーブルに取り付けた取付手段間に作用させることもできる。
【手続補正４】
【補正対象書類名】明細書
【補正対象項目名】０００８
【補正方法】変更
【補正の内容】
【０００８】
これにより、電力ケーブルは各取付手段の取り付けられた部分同士を引き寄せられることになる。従って、電力ケーブルを切断する場合には、一対の取付手段間の電力ケーブルが撓むことになり、一対の取付手段間で電力ケーブルを切断すると、その切断位置の両側（取付手段の取り付けられた部分）が連結手段を介して連結され、且つその連結手段の収縮力（張力）で互いに引き寄せられることになる。これにより、電力ケーブルを切断しても両側の電力ケーブルが連続して架設されたのと同様の態様で維持することになる。そして、このように電力ケーブルが切断され、連結手段を介して電力ケーブル同士が連結された状態で維持したとしても、前記連結手段が電気絶縁性を有する絶縁体を備えているので、該電力ケーブル支持用具を介しての地絡事故の発生を防止することができる。
【手続補正５】
【補正対象書類名】明細書
【補正対象項目名】００１１
【補正方法】削除
【補正の内容】
【手続補正６】
【補正対象書類名】明細書
【補正対象項目名】００１８
【補正方法】変更
【補正の内容】
【００１８】
本発明に係る電力ケーブル支持方法は、架設された電力ケーブルを切断する切断作業、及び分断した一次側及び二次側の電力ケーブルを連結する連結作業の少なくとも何れか一方を行うときに、作業対象の電力ケーブルを支持する電力ケーブル支持方法であって、電気絶縁性を有する絶縁体と、弾性によって伸縮自在に構成された伸縮体とを連結した連結体を備えた連結手段の絶縁体と伸縮体との連結方向の両端部に設けられた接続体に接続される一対の取付手段のそれぞれを、電力ケーブルの切断位置又は連結位置を介在させ、且つ、伸縮体を前記連結方向に伸ばすべく、連結手段の全長よりも広い間隔で作業対象となる電力ケーブルに対して取り付け、一対の取付手段を連結した連結手段の伸縮体に張力を作用させることを特徴とする。
【手続補正７】
【補正対象書類名】明細書
【補正対象項目名】００１９
【補正方法】変更
【補正の内容】
【００１９】
上記電力ケーブル支持方法によれば、電力ケーブルの切断位置又は連結位置を介在させ、且つ、伸縮体を前記連結方向に伸ばすべく、連結手段の全長よりも広い間隔で作業対象となる電力ケーブルに対して取り付け、一対の取付手段を連結した連結手段の伸縮体に張力（収縮力）を作用させるので、電力ケーブルは各取付手段の取り付けられた部分同士が引き寄せられることになる。
【手続補正８】
【補正対象書類名】明細書
【補正対象項目名】００２４
【補正方法】変更
【補正の内容】
【００２４】
この場合、連結手段の一端部に設けられた一方の接続体に固着された一方の取付手段を電力ケーブルに取り付けるとともに、連結手段の他端部に設けられた他方の接続体としてのフックを掛止可能な被接続部の形成された他方の取付手段を電力ケーブルに取り付け、前記フックを前記被接続部に掛止させることが好ましい。このようにすれば、一対の取付手段を電力ケーブルに取り付けるときに、連結手段の収縮力（張力）が作用しないため、容易に電力ケーブルに取付手段を取り付けることができ、フックを被接続部に掛止させたときに一対の取付手段間で張力を作用させることができる。
【手続補正９】
【補正対象書類名】明細書
【補正対象項目名】００４０
【補正方法】変更
【補正の内容】
【００４０】
そして、本実施形態に係る連結手段２０は、少なくとも一部に電気絶縁性を有するとともに、少なくとも一部に伸縮性を有して構成されている。この連結手段２０の伸縮性は、連結手段２０の全体を伸縮性の有するもので構成したり、連結手段２０の少なくとも一部を伸縮性の有する素材で構成したりすることで付与されるものであり、本実施形態においては、連結手段２０の一部に伸縮性の有するものを採用することで該連結手段２０に伸縮性を付与している。
【手続補正１０】
【補正対象書類名】明細書
【補正対象項目名】００４８
【補正方法】変更
【補正の内容】
【００４８】
しかる後、図４（ｂ）に示す如く、フリーな状態にある連結手段２０の接続体２０５（フック部２０５ａ）を他方の取付手段１０ｂの被接続部１０６に掛止させる。この際、他方の取付手段１０ｂの被接続部１０６は、フック部２０５ａよりも下方に位置するため、伸縮体２０２を長手方向に伸ばした上でフック部２０５ａを被接続部１０６に掛止させる。
【手続補正１１】
【補正対象書類名】明細書
【補正対象項目名】００６６
【補正方法】削除
【補正の内容】